(57)【要約】【課題】十分な剛性を備える自在継手を用いて溝渠連結体を変形させて、流水方向に屈曲箇所が形成された水路を構築するための溝渠連結体の設置方法及び溝渠連結体を提供する。【解決手段】屈曲箇所が形成された水路を構築するための溝渠連結体の設置方法に関する。水路８の屈曲箇所の形状に合わせて地面９を掘削し、所定の角度で屈曲された屈曲箇所７ａを有する地面溝７を形成する掘削工程と、上流側溝渠部材３と下流側溝渠部材４とを自在継手５で略直線状に接続させることにより形成された溝渠連結体１を用いて、上流側溝渠部材３又は下流側溝渠部材４の何れか一方を地面溝７に嵌め込む第１設置工程と、地面溝７に嵌め込まれた上流側溝渠部材３又は下流側溝渠部材４の何れか一方を支点として、上流側溝渠部材３又は下流側溝渠部材４の何れか他方を地面溝７の屈曲箇所７ａの角度に合わせて動かして、地面溝７に嵌め込む第２設置工程とを備える。【選択図】図２
2014163176.tif 000002
【特許請求の範囲】
【請求項１】
屈曲箇所が形成された水路を構築するための溝渠連結体の設置方法であって、
水路の屈曲箇所の形状に合わせて地面を掘削し、所定の角度で屈曲された屈曲箇所を有する地面溝を形成する掘削工程と、
前記地面溝の外側で上流側の溝渠部材と下流側の溝渠部材とを自在継手で略直線状に接続させることにより形成された溝渠連結体を用いて、前記溝渠連結体の上流側の溝渠部材又は下流側の溝渠部材の何れか一方を前記地面溝に嵌め込む第１設置工程と、
前記地面溝に嵌め込まれた前記溝渠連結体の上流側の溝渠部材又は下流側の溝渠部材の何れか一方を支点として、前記溝渠連結体の上流側の溝渠部材又は下流側の溝渠部材の何れか他方を前記地面溝の屈曲箇所の角度に合わせて動かして、前記溝渠連結体の上流側の溝渠部材又は下流側の溝渠部材の何れか他方を前記地面溝に嵌め込む第２設置工程とを備えること
を特徴とする溝渠連結体の設置方法。
【請求項２】
前記第１設置工程では、前記溝渠連結体の流水直交方向の外側に向けてＵ字状に突出する変形部が形成された前記自在継手で、前記溝渠連結体の上流側の溝渠部材と下流側の溝渠部材とを略直線状に接続させることにより形成された前記溝渠連結体を用いること
を特徴とする請求項１に記載の溝渠連結体の設置方法。
【請求項３】
前記掘削工程では、水路の屈曲箇所の形状に合わせて地面を掘削するとともに、所定の角度で屈曲された前記地面溝の屈曲箇所に、前記変形部を収容する収容溝を形成させて地面を掘削すること
を特徴とする請求項２に記載の溝渠連結体の設置方法。
【請求項４】
請求項１〜３の何れか１項に記載の溝渠連結体の設置方法に用いられる溝渠連結体であって、
前記溝渠連結体は、流水方向で前記溝渠部材の端部に前記自在継手の端部が載せられて、前記自在継手の端部の上側に固定金具が配置されてボルトにより固定されること
を特徴とする溝渠連結体。
【請求項５】
前記溝渠連結体は、前記溝渠部材が山部と谷部とを流水方向で連続して形成させたコルゲート状であり、前記溝渠部材の谷部の内側に沿うように形成された前記固定金具が、前記溝渠部材の谷部に前記自在継手の端部を介して嵌め込まれること
を特徴とする請求項４に記載の溝渠連結体。
【請求項６】
屈曲箇所が形成された水路を構築するための溝渠連結体であって、
上流側の溝渠部材と、下流側の溝渠部材と、前記上流側の溝渠部材と前記下流側の溝渠部材とを略直線状に接続させる自在継手とを備え、
前記自在継手は、前記上流側の溝渠部材又は前記下流側の溝渠部材の何れか一方を地面溝に嵌め込んで、前記上流側の溝渠部材又は前記下流側の溝渠部材の何れか他方を屈曲させることで変形し、前記溝渠部材の流水直交方向の外側に向けてＵ字状に突出する変形部が形成されること
を特徴とする溝渠連結体。
【発明の詳細な説明】
【技術分野】
【０００１】
本発明は、地面を掘削して形成された地面溝に溝渠連結体を嵌め込んで配置することにより、所定の角度で屈曲箇所が形成された水路を構築するための溝渠連結体の設置方法及び溝渠連結体に関するものである。
【背景技術】
【０００２】
従来より、農業用水路や工業用水路、土木工事用仮設水路等に用いられる溝渠部材として、鋼製、コンクリート製、樹脂製等の様々なタイプのＵ字溝が一般的に知られている。これらの水路は、複数のＵ字溝が必ずしも直線状に配置されるとは限られず、水路が構築される現場の状況に合わせて、水路の流水方向を水平方向で変えるようにして、複数のＵ字溝が配置されるものとなる。
【０００３】
このとき、水路の流水方向を水平方向で変える屈曲箇所に可撓性を有するＵ字溝を配置することによって、水路の屈曲箇所に対応する技術として、例えば、特許文献１に開示された可撓性Ｕ字溝や、特許文献２に開示されたＵ字溝自在エルボが提案されている。
【０００４】
特許文献１に開示された可撓性Ｕ字溝は、硬質合成樹脂又は繊維強化樹脂からなり、断面略Ｕ字形状をなし、その底部から左右の側部に延びるものであり、山部及び谷部が交互にＵ字溝の長手方向に連続形成されてなる可撓性蛇腹状部を備える技術である。
【０００５】
特許文献２に開示されたＵ字溝自在エルボは、Ｕ字溝の長手方向で、波形に形成された蛇腹状部の屈曲部の両側に、各々Ｕ字溝を連結する連結部が延設されてなる樹脂製のＵ字溝自在エルボに関する技術である。
【先行技術文献】
【特許文献】
【０００６】
【特許文献１】特開２００３−３３６２４４号公報
【特許文献２】特開２００３−０６４７６１号公報
【発明の概要】
【発明が解決しようとする課題】
【０００７】
特許文献１に開示された可撓性Ｕ字溝や特許文献２に開示されたＵ字溝自在エルボは、可撓性を有する蛇腹状部がＵ字溝に設けられることで、水路の屈曲箇所に対応することができる。しかし、これらの蛇腹状部が設けられたＵ字溝は、あらかじめ所定の角度に固定されたエルボや溶接接合部材を用いるのとは異なり、水路の屈曲箇所に配置される場合に、上流側の直線部分のＵ字溝と下流側の直線部分のＵ字溝との接続作業が困難であるという問題点があった。
【０００８】
即ち、これらの蛇腹状部が設けられたＵ字溝は、水路が構築される現場の状況に合わせて、上流側の直線部分のＵ字溝と下流側の直線部分のＵ字溝との角度調整が可能となる反面、水路としてのＵ字形状の保持や砂等の流下による磨耗に対抗できる程度に、蛇腹状部が十分な剛性を有することが必要となり、容易に変形しない強度を備えた蛇腹状部となっている。
【０００９】
このため、これらの蛇腹状部が設けられたＵ字溝は、蛇腹状部が容易に変形しないことから、上流側の直線部分のＵ字溝と下流側の直線部分のＵ字溝との屈曲角度に合わせて蛇腹状部を変形させることが困難であるだけでなく、蛇腹状部を変形させながら上流側の直線部分のＵ字溝と下流側の直線部分のＵ字溝とを接続させることが困難であるという問題点があった。
【００１０】
特に、これらの蛇腹状部が設けられたＵ字溝は、例えば、蛇腹状部の代わりにゴム製の弾性材料を用いた場合でも、水路の屈曲箇所に対する自在性を十分に備えるものとなる反面、弾性材料を変形させた際の弾性変形によって、上流側の直線部分のＵ字溝と下流側の直線部分のＵ字溝とが直線状となるように復元しようとする復元力が作用することになる。このため、ゴム製の弾性材料を用いた場合には、上流側の直線部分のＵ字溝と下流側の直線部分のＵ字溝とを屈曲させた状態で接続するために、多大な労力を要することになるという問題点があった。
【００１１】
そこで、本発明は、上述した問題点に鑑みて案出されたものであり、その目的とするところは、十分な剛性を備える自在継手を用いて溝渠連結体を変形させて、流水方向に屈曲箇所が形成された水路を構築するための溝渠連結体の設置方法及び溝渠連結体を提供することにある。
【課題を解決するための手段】
【００１２】
第１発明に係る溝渠連結体の設置方法は、屈曲箇所が形成された水路を構築するための溝渠連結体の設置方法であって、水路の屈曲箇所の形状に合わせて地面を掘削し、所定の角度で屈曲された屈曲箇所を有する地面溝を形成する掘削工程と、前記地面溝の外側で上流側の溝渠部材と下流側の溝渠部材とを自在継手で略直線状に接続させることにより形成された溝渠連結体を用いて、前記溝渠連結体の上流側の溝渠部材又は下流側の溝渠部材の何れか一方を前記地面溝に嵌め込む第１設置工程と、前記地面溝に嵌め込まれた前記溝渠連結体の上流側の溝渠部材又は下流側の溝渠部材の何れか一方を支点として、前記溝渠連結体の上流側の溝渠部材又は下流側の溝渠部材の何れか他方を前記地面溝の屈曲箇所の角度に合わせて動かして、前記溝渠連結体の上流側の溝渠部材又は下流側の溝渠部材の何れか他方を前記地面溝に嵌め込む第２設置工程とを備えることを特徴とする。
【００１３】
第２発明に係る溝渠連結体の設置方法は、第１発明において、前記第１設置工程では、前記溝渠連結体の流水直交方向の外側に向けてＵ字状に突出する変形部が形成された前記自在継手で、前記溝渠連結体の上流側の溝渠部材と下流側の溝渠部材とを略直線状に接続させることにより形成された前記溝渠連結体を用いることを特徴とする。
【００１４】
第３発明に係る溝渠連結体の設置方法は、第２発明において、前記掘削工程では、水路の屈曲箇所の形状に合わせて地面を掘削するとともに、所定の角度で屈曲された前記地面溝の屈曲箇所に、前記変形部を収容する収容溝を形成させて地面を掘削することを特徴とする。
【００１５】
第４発明に係る溝渠連結体は、第１発明〜第３発明の何れかの溝渠連結体の設置方法に用いられる溝渠連結体であって、前記溝渠連結体は、流水方向で前記溝渠部材の端部に前記自在継手の端部が載せられて、前記自在継手の端部の上側に固定金具が配置されてボルトにより固定されることを特徴とする。
【００１６】
第５発明に係る溝渠連結体は、第４発明において、前記溝渠連結体は、前記溝渠部材が山部と谷部とを流水方向で連続して形成させたコルゲート状であり、前記溝渠部材の谷部の内側に沿うように形成された前記固定金具が、前記溝渠部材の谷部に前記自在継手の端部を介して嵌め込まれることを特徴とする。
【００１７】
第６発明に係る溝渠連結体は、屈曲箇所が形成された水路を構築するための溝渠連結体であって、上流側の溝渠部材と、下流側の溝渠部材と、前記上流側の溝渠部材と前記下流側の溝渠部材とを略直線状に接続させる自在継手とを備え、前記自在継手は、前記上流側の溝渠部材又は前記下流側の溝渠部材の何れか一方を地面溝に嵌め込んで、前記上流側の溝渠部材又は前記下流側の溝渠部材の何れか他方を屈曲させることで変形し、前記溝渠部材の流水直交方向の外側に向けてＵ字状に突出する変形部が形成されることを特徴とする。
【発明の効果】
【００１８】
第１発明〜第３発明によれば、上流側溝渠部材と下流側溝渠部材とが自在継手で略直線状に接続させて形成されるため、あらかじめ自在継手を変形させることなく、上流側溝渠部材と下流側溝渠部材とを自在継手で容易に接続することが可能となる。
【００１９】
また、第１発明〜第３発明によれば、地面溝に嵌め込まれた上流側溝渠部材又は下流側溝渠部材の何れか一方を支点として、自在継手を作用点、上流側溝渠部材又は下流側溝渠部材の何れか他方を力点とすることで、自在継手が所定の剛性を備えるものであっても、溝渠連結体の自在継手を後から容易に変形させることが可能となる。
【００２０】
さらに、第１発明〜第３発明によれば、上流側溝渠部材と下流側溝渠部材とを水平方向で相対的に屈曲させることができるとともに、上流側溝渠部材と下流側溝渠部材とを鉛直方向で相対的に屈曲させることができ、さらに、水平方向と鉛直方向との合成方向で３次元的に屈曲させて、屈曲箇所の角度を自在なものとして、水路を構築することが可能となる。
【００２１】
特に、第２発明によれば、地面溝の屈曲箇所で自在継手の変形部がＵ字状に突出するものとなり、上流側溝渠部材と下流側溝渠部材との屈曲角度に応じて、自在継手を変形部で自在に変形させて、水路の屈曲角度に応じて溝渠連結体を自在に屈曲させることが可能となる。
【００２２】
特に、第３発明によれば、掘削工程において、地面溝の屈曲箇所に収容溝が形成され、第２設置工程において、自在継手のＵ字状の変形部が収容溝に収容されるため、地面溝の底部及び側壁と、自在継手の変形部とが干渉することを回避することができ、溝渠連結体が地面溝から浮き上がることを防止して、水路で流水が阻害されることを回避することが可能となる。
【００２３】
第４発明によれば、溝渠部材の内側に固定金具が自在継手の端部を介して取り付けられるため、自在継手の端部が溝渠部材に固定金具で上方から押さえつけられた状態となり、上流側溝渠部材の端部及び下流側溝渠部材の端部から自在継手の各々の端部が外れないように、水密性を確保して自在継手の端部を強固に接続することが可能となる。
【００２４】
第５発明によれば、コルゲート状の溝渠部材の谷部の内側に固定金具が自在継手の端部を介して嵌め込まれるため、自在継手の端部をより強固に接続することが可能となる。
【００２５】
第６発明によれば、地面溝の屈曲箇所で自在継手の変形部がＵ字状に突出するものとなり、上流側溝渠部材と下流側溝渠部材との屈曲角度に応じて自在継手を変形部で自在に変形させて、水路の屈曲角度に応じて自在に屈曲された溝渠連結体を提供することが可能となる。
【図面の簡単な説明】
【００２６】
【図１】本発明に係る溝渠連結体の設置方法により構築された水路を示す斜視図である。
【図２】（ａ）は、本発明に係る溝渠連結体を示す平面図であり、（ｂ）は、その側面図である。
【図３】（ａ）は、本発明に係る溝渠連結体の溝渠部材を示す側面図であり、（ｂ）は、その正面図である。
【図４】本発明に係る溝渠連結体の溝渠部材を示す一部破断拡大側面図である。
【図５】（ａ）は、本発明に係る溝渠連結体の自在継手に用いられるゴム板を丸める前の状態を示す斜視図であり、（ｂ）は、その丸めた後の自在継手を示す斜視図である。
【図６】（ａ）は、本発明に係る溝渠連結体の変形例の自在継手に用いられるゴム板を丸める前の状態を示す斜視図であり、（ｂ）は、その丸めた後の自在継手を示す斜視図である。
【図７】本発明に係る溝渠連結体を示す分解斜視図である。
【図８】本発明に係る溝渠連結体の自在継手の端部を上流側溝渠部材の端部と下流側溝渠部材の端部とに取り付ける固定金具を示す平面図である。
【図９】本発明に係る溝渠連結体の他の実施形態において、自在継手の端部を上流側溝渠部材の端部と下流側溝渠部材の端部とに取り付ける固定金具を示す平面図である。
【図１０】（ａ）は、本発明に係る溝渠連結体の他の実施形態において、固定金具を上流側溝渠部材の端部又は下流側溝渠部材の端部に固定するボルトを示す斜視図であり、（ｂ）は、その変形例を示す斜視図である。
【図１１】本発明に係る溝渠連結体の他の実施形態において、固定金具によって自在継手の端部が上流側溝渠部材の端部又は下流側溝渠部材の端部に接続された状態を示す一部破断拡大側面図である。
【図１２】（ａ）は、本発明を適用した溝渠連結体の設置方法の掘削工程を説明する平面図であり、（ｂ）は、その側面図である。
【図１３】（ａ）は、本発明を適用した溝渠連結体の設置方法の掘削工程を説明する図１２におけるＥ−Ｅ断面図であり、（ｂ）は、その変形例を示す断面図である。
【図１４】（ａ）は、本発明を適用した溝渠連結体の設置方法の第１設置工程を説明する平面図であり、（ｂ）は、その側面図である。
【図１５】（ａ）は、本発明を適用した溝渠連結体の設置方法の第２設置工程を説明する平面図であり、（ｂ）は、その側面図である。
【図１６】本発明に係る溝渠連結体の自在継手が上流側溝渠部材と下流側溝渠部材との間で変形する態様を示す平面図である。
【図１７】本発明に係る溝渠連結体の他の実施形態において、自在継手が上流側溝渠部材と下流側溝渠部材との間で変形する態様を示す平面図である。
【図１８】（ａ）は、本発明に係る溝渠連結体の上流側溝渠部材と下流側溝渠部材とが鉛直方向で屈曲する態様を示す平面図であり、（ｂ）は、その側面図である。
【図１９】（ａ）は、本発明に係る溝渠連結体の上流側溝渠部材と下流側溝渠部材との水平方向の屈曲を説明する正面図であり、（ｂ）は、その鉛直方向の屈曲を説明する正面図であり、（ｃ）は、その水平方向と鉛直方向とが合成された屈曲を説明する正面図である。
【発明を実施するための形態】
【００２７】
以下、本発明を適用した溝渠連結体の設置方法及び溝渠連結体１を実施するための形態について、図面を参照しながら詳細に説明する。
【００２８】
本発明を適用した溝渠連結体の設置方法は、図１に示すように、流水方向Ｘに屈曲箇所が形成された水路８を構築するものであり、本発明を適用した溝渠連結体１を地面９に設置することによって水路８が構築されるものとなる。
【００２９】
水路８は、流水方向Ｘの上流側Ａから下流側Ｂに向けて水を流すことを目的として、農業用水路、工業用水路又は工事用仮設水路等の開渠又は暗渠として構築される。
【００３０】
本発明を適用した溝渠連結体１は、一対の溝渠部材２と、これらを連結する自在継手５とを備えるものであり、図２に示すように、流水方向Ｘの上流側Ａに設置される上流側溝渠部材３と、流水方向Ｘの下流側Ｂに設置される下流側溝渠部材４と、上流側溝渠部材３と下流側溝渠部材４とを略直線状に接続させる自在継手５とを備える。
【００３１】
溝渠部材２は、上流側溝渠部材３及び下流側溝渠部材４の何れにおいても、山部２ａと谷部２ｂとが流水方向Ｘで波状に連続して形成されたコルゲート状のものが用いられる。溝渠部材２は、これに限らず、山部２ａと谷部２ｂとが流水直交方向の高さ方向Ｙ及び幅方向Ｚで連続して形成されたコルゲート状のものが用いられてもよい。溝渠部材２は、上流側溝渠部材３及び下流側溝渠部材４の何れか一方又は両方でコルゲート状のものが用いられなくてもよい。
【００３２】
溝渠部材２は、図３に示すように、鋼板を湾曲させることによって、上方に向けて開口させて形成された断面略Ｕ字形状の鋼製Ｕ字溝が用いられる。溝渠部材２は、これに限らず、樹脂製、コンクリート製等、如何なる材質のものが用いられてもよく、断面略円形状の管体が用いられてもよい。溝渠部材２は、流水直交方向の幅方向Ｚの両側端にフランジ２５が形成される。
【００３３】
溝渠部材２は、図３（ａ）に示すように、自在継手５との重ね代を約１９ｍｍとして、全体の長さＬが流水方向Ｘで約１０５８ｍｍとなるように形成される。溝渠部材２は、図３（ｂ）に示すように、流水直交方向で高さｈが約４５０ｍｍ、幅ｂが約５００ｍｍとなるように形成される。溝渠部材２は、これに限らず、如何なる寸法で形成されてもよい。
【００３４】
溝渠部材２は、図４に示すように、板厚が約１．６ｍｍ〜４．０ｍｍの鋼板を用いて、山部２ａと谷部２ｂとが波状に連続して形成される。溝渠部材２は、流水方向Ｘで谷部２ｂの両側に形成される山部２ａのピッチＰを約６８ｍｍとし、山部２ａと谷部２ｂとの間の深さｄを約１３ｍｍとする。溝渠部材２は、これに限らず、如何なる寸法の波状に形成されてもよい。
【００３５】
自在継手５は、図５に示すように、Ｕ字状に突出して形成される変形部５５と、変形部５５の両側に形成される平板部５６とを備える。自在継手５は、図５（ａ）に示すように、ＣＲゴム等の樹脂材を材料とするゴム板を用いるものであり、変形部５５の高さｈが約１６０ｍｍ、全体の幅ｂが約７２０ｍｍの長尺のゴム板を切断することによって、丸める前の状態のゴム板が形成される。自在継手５は、図５（ｂ）に示すように、このゴム板を丸めることによって、流水直交方向の高さ方向Ｙ及び幅方向Ｚで外側に向けて、変形部５５がＵ字状に突出するものとなる。
【００３６】
自在継手５は、変形例において、図６（ａ）に示すように、全体の幅ｂが約１０００ｍｍの長尺のゴム板を切断することによって、丸める前の状態のゴム板が平面略矩形状に形成される。自在継手５は、これに限らず、幅ｂの大きさを両端で異ならせることによって、平面略扇形状に形成されてもよい。自在継手５は、変形例において、図６（ｂ）に示すように、このゴム板を丸めることによって形成される。また、自在継手５は、これに限らず、如何なる材料が用いられてもよく、如何なる寸法によって、如何なる方法で製作されてもよい。
【００３７】
本発明を適用した溝渠連結体１は、地上の平場等で製作されるものであり、図７に示すように、流水方向Ｘの上流側溝渠部材３の端部３１と、流水方向Ｘの下流側溝渠部材４の端部４１とに、自在継手５の各々の端部５１が載せられて、自在継手５の各々の端部５１の上側に固定金具６が配置されて取り付けられることにより、上流側溝渠部材３と下流側溝渠部材４とを略直線状に接続させて形成される。
【００３８】
本発明を適用した溝渠連結体１は、固定金具６に鋼製のプレートが用いられ、このプレートを湾曲させて固定金具６がＵ字状に形成される。固定金具６は、図８に示すように、上流側溝渠部材３の端部３１及び下流側溝渠部材４の端部４１の上側に自在継手５の端部５１が載せられた状態で、この自在継手５の端部５１の上側に配置される。固定金具６は、図４に示すボルト孔２６に挿通されたボルト６２によって、自在継手５の端部５１に沿って固定される。
【００３９】
このとき、本発明を適用した溝渠連結体１は、溝渠部材２の山部２ａの内側に配置された止水材６１によって水密性を向上させた状態で、プレートの固定金具６が上流側溝渠部材３の端部３１及び下流側溝渠部材４の端部４１に自在継手５の端部５１を介して固定される。
【００４０】
これにより、本発明を適用した溝渠連結体１は、止水材６１によって水密性を向上させた状態で、自在継手５の端部５１が溝渠部材２の山部２ａに固定金具６で上方から押さえつけられた状態となり、上流側溝渠部材３の端部３１又は下流側溝渠部材４の端部４１から自在継手５の各々の端部５１が外れないように、自在継手５の端部５１を強固に接続することが可能となる。
【００４１】
本発明を適用した溝渠連結体１は、他の実施形態において、図９に示すように、固定金具６に鋼製の丸棒が用いられ、この丸棒を湾曲させて、溝渠部材２の谷部２ｂの内側に沿うように固定金具６がＵ字状に形成される。固定金具６は、上流側溝渠部材３の端部３１及び下流側溝渠部材４の端部４１の上側に自在継手５の端部５１が載せられた状態で、この自在継手５の端部５１の上側に配置されてボルト６２によって固定される。
【００４２】
このとき、固定金具６は、上流側溝渠部材３の端部３１及び下流側溝渠部材４の端部４１と自在継手５の端部５１との間で、溝渠部材２の谷部２ｂにゴムパッキン等の止水材６１が配置され、図１０（ａ）に示すように、溝渠部材２のフランジ２５に設けられたボルト孔２６にＵ字状のボルト６２の両端を挿通させて、ナット６３を締結させることによって固定される。
【００４３】
また、固定金具６は、変形例において、図１０（ｂ）に示すように、フック状の取付部６４が設けられたボルト６２が用いられ、溝渠部材２のフランジ２５に取付部６４を引っ掛けた状態で、溝渠部材２のフランジ２５に設けられたボルト孔２６にボルト６２の一端を挿通させて、ナット６３を締結させることによって固定されてもよい。
【００４４】
このとき、本発明を適用した溝渠連結体１は、他の実施形態において、図１１に示すように、溝渠部材２の谷部２ｂの内側に配置された止水材６１によって水密性を向上させた状態で、丸棒の固定金具６が溝渠部材２の谷部２ｂの内側に自在継手５の端部５１を介して嵌め込まれる。
【００４５】
これにより、本発明を適用した溝渠連結体１は、他の実施形態において、止水材６１によって水密性を向上させた状態で、自在継手５の端部５１が溝渠部材２の谷部２ｂに固定金具６で上方から押さえつけられた状態となり、図９に示すように、上流側溝渠部材３の端部３１又は下流側溝渠部材４の端部４１から自在継手５の各々の端部５１が外れないように、自在継手５の端部５１をより強固に接続することが可能となる。
【００４６】
また、本発明を適用した溝渠連結体１は、他の実施形態において、溝渠部材２の谷部２ｂに丸棒の固定金具６が嵌まり込み、固定金具６で水路８の流水が阻害されることが防止されるとともに、流水中の小石等が固定金具６に衝突することを回避することができ、さらに、流水中の落葉等がボルト６２に引っ掛かって、流水が阻害されることを防止することが可能となる。
【００４７】
本発明を適用した溝渠連結体の設置方法は、図１２、図１３に示すように、地面９を掘削して地面溝７を形成する掘削工程と、図１４に示すように、上流側溝渠部材３を地面溝７に嵌め込む第１設置工程と、図１５に示すように、下流側溝渠部材４を地面溝７に嵌め込む第２設置工程とを備えるものである。
【００４８】
本発明を適用した溝渠連結体の設置方法は、最初に、図１２（ａ）に示すように、掘削工程において、図１に示す水路８の屈曲箇所の形状に合わせて地面９を掘削し、所定の角度で屈曲された屈曲箇所７ａを有する地面溝７を形成するものである。
【００４９】
地面溝７は、屈曲箇所７ａの上流側Ａで上流側地面溝７１が形成されるとともに、下流側Ｂで下流側地面溝７２が形成される。また、地面溝７は、図１２（ｂ）に示すように、屈曲箇所７ａで上流側地面溝７１及び下流側地面溝７２より深く掘削することで収容溝７５が形成される。地面溝７は、図１３（ａ）に示すように、底部７ｂに対して側壁７ｃが略垂直に形成されるものとなる。地面溝７は、これに限らず、図１３（ｂ）に示すように、底部７ｂに対して側壁７ｃを傾斜させて形成されてもよい。
【００５０】
本発明を適用した溝渠連結体の設置方法は、次に、図１４（ａ）に示すように、第１設置工程において、地面溝７の外側の平場等で組み立てられた溝渠連結体１を用いるものであり、図１４（ｂ）に示すように、溝渠連結体１の下流端から上流端にかけて溝渠連結体１を下方に向けて傾斜させて、上流側溝渠部材３の一部を上流側地面溝７１に嵌め込むものとなる。
【００５１】
本発明を適用した溝渠連結体の設置方法は、最後に、図１５（ａ）に示すように、第２設置工程において、上流側溝渠部材３が上流側地面溝７１の側壁７ｃから支点反力Ｒを得ながら、上流側地面溝７１に嵌め込まれた上流側溝渠部材３の一部を支点として、下流側溝渠部材４を地面溝７の屈曲箇所７ａの角度に合わせて動かして、図１５（ｂ）に示すように、下流側溝渠部材４を下流側地面溝７２に嵌め込むものとなる。
【００５２】
なお、本発明を適用した溝渠連結体の設置方法は、これに限らず、第１設置工程において、溝渠連結体１の上流端から下流端にかけて溝渠連結体１を下方に向けて傾斜させて、先に下流側溝渠部材４を下流側地面溝７２に嵌め込むものとして、第２設置工程において、後から上流側溝渠部材３を上流側地面溝７１に嵌め込むものともよい。
【００５３】
自在継手５は、水路８を水平方向に屈曲させる場合に、図１６に示すように、屈曲箇所７ａの外角側Ｃにおいて、一対の平板部５６が互いに離間するように移動して、Ｕ字状の変形部５５が広がるように変形するとともに、屈曲箇所７ａの内角側Ｄにおいて、一対の平板部５６が互いに接近するように移動して、Ｕ字状の変形部５５が狭まるように変形する。
【００５４】
また、自在継手５は、図６に示す変形例において、水路８を水平方向に屈曲させる場合に、図１７に示すように、屈曲箇所７ａの外角側Ｃで自在継手５が延びるように広がって変形するとともに、屈曲箇所７ａの内角側Ｄで流水直交方向の外側に向けて自在継手５がたるむように変形し、Ｕ字状に突出する変形部５５が形成されるものとなる。
【００５５】
これにより、本発明を適用した溝渠連結体１は、上流側溝渠部材３と下流側溝渠部材４との屈曲角度に応じて、自在継手５を変形部５５で自在に変形させて、水路８の屈曲角度に応じて溝渠連結体１を自在に屈曲させることが可能となる。
【００５６】
本発明を適用した溝渠連結体の設置方法は、掘削工程において、図１２に示すように、地面溝７の屈曲箇所７ａで収容溝７５が形成され、第２設置工程において、図１５に示すように、自在継手５のＵ字状の変形部５５が収容溝７５に収容されるため、図１３に示す地面溝７の底部７ｂ及び側壁７ｃと、自在継手５のＵ字状の変形部５５とが干渉することを回避することができ、溝渠連結体１が地面溝７から浮き上がることを防止することができる。
【００５７】
これにより、本発明を適用した溝渠連結体の設置方法は、地面溝７の屈曲箇所７ａで収容溝７５に自在継手５の変形部５５が収容され、溝渠連結体１が地面溝７から浮き上がることを防止して、水路８を水が流れる際に流水が阻害されることを回避することが可能となる。
【００５８】
本発明を適用した溝渠連結体の設置方法は、第２設置工程において、図１５に示すように、地面溝７に嵌め込まれた上流側溝渠部材３又は下流側溝渠部材４の何れか一方を支点として、自在継手５を作用点、上流側溝渠部材３又は下流側溝渠部材４の何れか他方を力点とすることで、自在継手５が所定の剛性を備えるものであっても、上流側溝渠部材３と下流側溝渠部材４とを水平方向で容易に屈曲させることが可能となる。
【００５９】
ここで、本発明を適用した溝渠連結体１は、図２に示すように、上流側溝渠部材３と下流側溝渠部材４とが自在継手５で略直線状に接続させて形成されるため、あらかじめ自在継手５を変形させることなく、上流側溝渠部材３と下流側溝渠部材４とを自在継手５で容易に接続して、溝渠連結体１を形成させることができるものである。これにより、本発明を適用した溝渠連結体の設置方法は、第２設置工程において、図１５に示すように、自在継手５を後から容易に変形させることが可能となる。
【００６０】
また、本発明を適用した溝渠連結体１は、流水直交方向で高さ方向Ｙ及び幅方向Ｚに延びるようにして自在継手５にＵ字状の変形部５５が形成されるため、図１８（ａ）に示すように、変形部５５の上端が広がるように変形するとともに、図１８（ｂ）に示すように、変形部５５の下端が狭まるように変形することで、上流側溝渠部材３と下流側溝渠部材４とを鉛直方向で容易に屈曲させることも可能となる。
【００６１】
これにより、本発明を適用した溝渠連結体の設置方法は、図１９（ａ）に示すように、上流側溝渠部材３と下流側溝渠部材４とを、水平方向となる幅方向Ｚで相対的に屈曲させて水路８を構築することを可能とするものとなる。また、本発明を適用した溝渠連結体の設置方法は、図１９（ｂ）に示すように、上流側溝渠部材３と下流側溝渠部材４とを、鉛直方向となる高さ方向Ｙで相対的に屈曲させることを可能とするものとなる。さらに、本発明を適用した溝渠連結体の設置方法は、図１９（ｃ）に示すように、水平方向となる高さ方向Ｙと鉛直方向となる幅方向Ｚの合成方向で３次元的に屈曲させて、屈曲箇所の角度を自在なものとして、水路８を構築することを可能とするものとなる。
【００６２】
本発明を適用した溝渠連結体１は、地滑りや地震による外力が水路８に作用した場合であっても、上流側溝渠部材３と下流側溝渠部材４との相対的な屈曲変形を自在継手５で吸収し、水路８が破損することを防止することが可能となる。また、本発明を適用した溝渠連結体１は、水路８が構築される現場の状況に合わせて、上流側溝渠部材３と下流側溝渠部材４とを相対的に自在に屈曲させることができ、屈曲角度ごとに角度を変えて製作することが必要とされないため、製作コストを抑制して短い納期で製作することが可能となる。
【００６３】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００６４】
１        ：溝渠連結体
２        ：溝渠部材
２ａ      ：山部
２ｂ      ：谷部
２５      ：フランジ
２６      ：ボルト孔
３        ：上流側溝渠部材
３１      ：端部（上流側溝渠部材）
４        ：下流側溝渠部材
４１      ：端部（下流側溝渠部材）
５        ：自在継手
５１      ：端部（自在継手）
５５      ：変形部
５６      ：平板部
６        ：固定金具
６１      ：止水材
６２      ：ボルト
６３      ：ナット
６４      ：取付部
７        ：地面溝
７ａ      ：屈曲箇所
７ｂ      ：底部
７ｃ      ：側壁
７１      ：上流側地面溝
７２      ：下流側地面溝
７５      ：収容溝
８        ：水路
９        ：地面
Ａ        ：上流側
Ｂ        ：下流側
Ｃ        ：外角側
Ｄ        ：内角側
Ｘ        ：流水方向
Ｙ        ：高さ方向
Ｚ        ：幅方向
【図１】
2014163176.tif 000003
【図２】
2014163176.tif 000004
【図３】
2014163176.tif 000005
【図４】
2014163176.tif 000006
【図５】
2014163176.tif 000007
【図６】
2014163176.tif 000008
【図７】
2014163176.tif 000009
【図８】
2014163176.tif 000010
【図９】
2014163176.tif 000011
【図１０】
2014163176.tif 000012
【図１１】
2014163176.tif 000013
【図１２】
2014163176.tif 000014
【図１３】
2014163176.tif 000015
【図１４】
2014163176.tif 000016
【図１５】
2014163176.tif 000017
【図１６】
2014163176.tif 000018
【図１７】
2014163176.tif 000019
【図１８】
2014163176.tif 000020
【図１９】
2014163176.tif 000021